(57)【要約】  無線ネットワーク（１１３０）のノード（１１２０）が、プライマリキャリア時間／周波数リソースの第１のセットを有するプライマリキャリアとセカンダリキャリア時間／周波数リソースの第２のセットを有するセカンダリキャリアとを含む統合キャリア上でユーザ機器（１１１０）へ情報を送信する（２１０）。同期信号及び／又はリファレンスシンボルが、プライマリキャリアよりも低い頻度で、セカンダリキャリア上で、ユーザ機器へ送信される（２２０）。セカンダリキャリア上でユーザ機器へ同期信号及び／又はリファレンスシンボルがいつ及び／又はどのような頻度で送信されることになるかの標識もまた、プライマリキャリア上でユーザ機器へ送信され得る（２３０）。同期信号及び／又はリファレンスシンボルを、プライマリキャリアよりも低い頻度で、セカンダリキャリア上で、ユーザ機器へ送信することによって、セカンダリキャリアのリソースが節約され、セカンダリキャリアのエネルギー効率が高められ、及び／又は他のセルとの干渉が低減され、若しくは防止され得る。【選択図】図２
2014531145.tif 000002
【特許請求の範囲】
【請求項１】
無線通信ネットワーク（１１３０）のノード（１１２０）を動作させる方法であって、
プライマリキャリア時間／周波数リソースの第１のセットを含むプライマリキャリアとセカンダリキャリア時間／周波数リソースの第２のセットを含むセカンダリキャリアとを含む統合キャリア上でユーザ機器（１１１０）へ情報を送信すること（２１０）と、
前記プライマリキャリアよりも低い頻度で、前記セカンダリキャリア上で、前記ユーザ機器へ同期信号及び／又はリファレンスシンボルを送信すること（２２０）と、
を含む方法。
【請求項２】
前記セカンダリキャリア上で前記ユーザ機器へ前記同期信号及び／又はリファレンスシンボルがいつ及び／又はどのような頻度で送信されることになるかの標識を、前記プライマリキャリア上で前記ユーザ機器へ送信すること（２３０）、
をさらに含む、請求項１に記載の方法。
【請求項３】
前記情報を送信することは、プライマリキャリア時間／周波数リソースの第１のセットを含むプライマリキャリアと、プライマリキャリア時間／周波数リソースの前記第１のセットに時間及び周波数において同期しているセカンダリキャリア時間／周波数リソースの第２のセットを含むセカンダリキャリアと、を含む前記統合キャリア上で前記ユーザ機器へ情報を送信すること（４１０）、を含み、
前記同期信号及び／又はリファレンスシンボルを送信することは、プライマリキャリア時間／周波数リソースの前記第１のセットに時間及び周波数において同期しているセカンダリキャリア時間／周波数リソースの第２のセットを含む前記セカンダリキャリア上で前記ユーザ機器へ同期信号及び／又はリファレンスシンボルを送信することを控えること（４２０）、を含む、
請求項１に記載の方法。
【請求項４】
セカンダリキャリア時間／周波数リソースの前記第２のセットは、プライマリキャリア時間／周波数リソースの前記第１のセットに時間及び周波数において同期しているが、一定の時間オフセット及び／又は一定の周波数オフセットだけそこからオフセットしており、前記方法は、
前記一定の時間オフセット及び／又は前記一定の周波数オフセットの標識を、前記プライマリキャリア上で前記ユーザ機器へ送信すること（４３０）、
をさらに含む、請求項３に記載の方法。
【請求項５】
前記一定の時間オフセット及び／又は前記一定の周波数オフセットの標識を前記プライマリキャリア上で前記ユーザ機器へ送信することは、前記一定の時間オフセット及び／又は前記一定の周波数オフセットの前記標識を提供するパラメータを含む無線リソース制御メッセージを、前記プライマリキャリア上で前記ユーザ機器へ送信すること、を含む、請求項４に記載の方法。
【請求項６】
前記プライマリキャリア及び前記セカンダリキャリアは同じサイトに属し、前記送信することを控えることは、前記セカンダリキャリア上で前記ユーザ機器へ同期信号及びリファレンスシンボルを送信することを控えること（４２０）、を含む、請求項３に記載の方法。
【請求項７】
前記情報を送信することは、プライマリキャリア時間／周波数リソースの第１のセットを含むプライマリキャリアと、プライマリキャリア時間／周波数リソースの前記第１のセットに時間において同期しているが、プライマリキャリア時間／周波数リソースの前記第１のセットとは異なる周波数帯域にあるセカンダリキャリア時間／周波数リソースの第２のセットを含むセカンダリキャリアと、を含む前記統合キャリア上で前記ユーザ機器へ情報を送信すること（６１０）、を含み、
前記同期信号及び／又はリファレンスシンボルを送信することは、前記プライマリキャリアよりも低い頻度で、前記セカンダリキャリア上で、前記ユーザ機器へリファレンスシンボルを送信すること（６２０ａ）、を含む、
請求項１に記載の方法。
【請求項８】
前記同期信号及び／又はリファレンスシンボルを送信することは、前記セカンダリキャリア上で前記ユーザ機器へ同期信号を送信することを控えること（６２０ｂ）、をさらに含む、
請求項７に記載の方法。
【請求項９】
前記セカンダリキャリア上で前記ユーザ機器へ前記リファレンスシンボルがいつ及び／又はどのような頻度で送信されることになるかの標識を、前記プライマリキャリア上で前記ユーザ機器へ送信すること（６３０）、
をさらに含む、請求項７に記載の方法。
【請求項１０】
前記同期信号及び／又はリファレンスシンボルを送信することは、前記プライマリキャリアの周期よりも低い周期で、前記セカンダリキャリア上で、前記ユーザ機器へリファレンスシンボルを送信すること、を含み、
前記方法は、当該周期の標識を前記プライマリキャリア上で前記ユーザ機器へ送信すること、をさらに含む、
請求項７に記載の方法。
【請求項１１】
前記プライマリキャリア及び前記セカンダリキャリアは同じサイトに属する、請求項７に記載の方法。
【請求項１２】
前記情報を送信することは、プライマリキャリア時間／周波数リソースの第１のセットを含むプライマリキャリアと、プライマリキャリア時間／周波数リソースの前記第１のセットに時間において同期しておらずしかもプライマリキャリア時間／周波数リソースの前記第１のセットとは異なる周波数帯域にあるセカンダリキャリア時間／周波数リソースの第２のセットを含むセカンダリキャリアと、を含む統合キャリア上で前記ユーザ機器へ情報を送ること（８１０）、を含み、
前記同期信号及び／又はリファレンスシンボルを送信することは、前記プライマリキャリアよりも低い頻度で、前記セカンダリキャリア上で、前記ユーザ機器へ同期信号及びリファレンスシンボルを送信すること（８２０）、を含む、
請求項１に記載の方法。
【請求項１３】
前記セカンダリキャリア上で前記ユーザ機器へ前記同期信号及び／又は前記リファレンスシンボルがいつ及び／又はどのような頻度で送信されることになるかの少なくとも１つの標識を、前記プライマリキャリア上で前記ユーザ機器へ送信すること（８３０）、
をさらに含む、請求項１２に記載の方法。
【請求項１４】
前記同期信号及びリファレンスシンボルを送信することは、前記プライマリキャリアの周期よりも低い周期で、前記セカンダリキャリア上で、前記ユーザ機器へ前記同期信号及び前記リファレンスシンボルを送信すること、を含み、
前記方法は、前記同期信号及び／又は前記リファレンスシンボルを送信する前記周期の少なくとも１つの標識を、前記プライマリキャリア上で前記ユーザ機器へ送信すること、をさらに含む、
請求項１２に記載の方法。
【請求項１５】
前記少なくとも１つの標識は、無線リソース制御メッセージのパラメータとして前記プライマリキャリア上で送信される、請求項１３に記載の方法。
【請求項１６】
前記少なくとも１つの標識は、無線リソース制御メッセージのパラメータとして前記プライマリキャリア上で送信される、請求項１４に記載の方法。
【請求項１７】
前記プライマリキャリア及び前記セカンダリキャリアは同じサイトに属しない、請求項１２に記載の方法。
【請求項１８】
無線通信ネットワーク（１１３０）のノード（１１２０）であって、
プライマリキャリア時間／周波数リソースの第１のセットを含むプライマリキャリアとセカンダリキャリア時間／周波数リソースの第２のセットを含むセカンダリキャリアとを含む統合キャリア上でユーザ機器（１１１０）へ情報を送信する（２１０）ように構成された少なくとも１つの送信器（１３４０）、を含み、
前記少なくとも１つの送信器は、前記プライマリキャリア上で前記ユーザ機器へ同期信号及び／又はリファレンスシンボルを送信する（９２０）ようにさらに構成され、
前記少なくとも１つの送信器は、前記セカンダリキャリアの同期信号及び／又はリファレンスシンボルに関する情報を、前記プライマリキャリア上で前記ユーザ機器へ送信する（９３０）ようにさらに構成される、
ノード。
【請求項１９】
前記セカンダリキャリアの同期信号及び／又はリファレンスシンボルに関する前記情報は、前記セカンダリキャリア上で前記ユーザ機器へ前記同期信号及び／若しくは前記リファレンスシンボルがいつ送信されることになるかの標識、並びに／又は前記セカンダリキャリア上で前記ユーザ機器へ前記同期信号及び／若しくは前記リファレンスシンボルがどのような頻度で送信されることになるかの標識を含む、請求項１８に記載のノード。
【請求項２０】
無線通信ネットワーク（１１３０）のユーザ機器（１１１０）を動作させる方法であって、
プライマリキャリア時間／周波数リソースの第１のセットを含むプライマリキャリアとセカンダリキャリア時間／周波数リソースの第２のセットを含むセカンダリキャリアとを含む統合キャリア上で情報を受信すること（１０１０）と、
前記プライマリキャリア上で同期信号及び／又はリファレンスシンボルを受信し（１０２０）、前記プライマリキャリア上で受信された前記同期信号及び／又はリファレンスシンボルを処理することと、
前記プライマリキャリアよりも低い頻度で、前記セカンダリキャリア上で同期信号及び／又はリファレンスシンボルを受信し（１０３０）、前記プライマリキャリアよりも低い頻度で前記セカンダリキャリア上で受信された前記同期信号及び／又は前記リファレンスシンボルを処理することと、
を含む方法。
【請求項２１】
前記セカンダリキャリア上で前記同期信号及び／又はリファレンスシンボルがいつ及び／又はどのような頻度で受信されることになるかの標識を、前記プライマリキャリア上で受信すること（１０４０）、
をさらに含む、請求項２０に記載の方法。
【請求項２２】
前記セカンダリキャリア上で前記同期信号及び／又はリファレンスシンボルがいつ及び／又はどのような頻度で受信されることになるかの標識を、前記プライマリキャリア上で受信することは、前記セカンダリキャリア上で前記同期信号及び／若しくは前記リファレンスシンボルがいつ受信されることになるかの少なくとも１つの標識を受信すること、並びに／又は前記セカンダリキャリア上で前記同期信号及び／若しくは前記リファレンスシンボルがどのような頻度で受信されることになるかの少なくとも１つの標識を受信すること、を含む、請求項２１に記載の方法。
【請求項２３】
前記少なくとも１つの標識は、無線リソース制御メッセージのパラメータとして前記プライマリキャリア上で受信される、請求項２２に記載の方法。
【発明の詳細な説明】
【技術分野】
【０００１】
［関連出願への相互参照］
本出願は、２０１１年１１月３０日に提出された“Aggregated  Carrier  Synchronization  and  Reference  Signal  Transmitting  and  Receiving  Methods,  Devices  and  Systems”というタイトルの米国特許出願第１３／３０７，８３５号及び２０１１年８月１２日に提出された“Synchronization  and  Reference  Signals  on  Aggregated  Carriers”というタイトルの米国仮特許出願第６１／５２２，７３５号の利益を主張し、その双方の開示はここで十分に説明されるかのように参照によりここに取り入れられる。
【０００２】
［技術分野］
ここで説明される多様な実施形態は、無線周波数通信に関し、より具体的には、無線通信ネットワーク及びデバイス、並びにそれらを動作させる方法に関する。
【背景技術】
【０００３】
無線通信ネットワークは、多様なタイプの無線ユーザ機器との無線通信のために、ますます使用されるようになっている。無線ネットワーク自体は、複数のセルを定義する、通常は“基地局”、“無線アクセスノード”、“ＲＡＮノード”、“ＮｏｄｅＢ”、“ｅＮｏｄｅＢ”又は単純に“ノード”とも呼ばれる空間的に離れた複数の無線基地局と、基地局を制御し基地局を他の有線及び／又は無線ネットワークにインタフェースさせるコアネットワークと、を含み得る。ノードは、地上にあっても及び／又は宇宙ベース（space-based）であってもよい。ノードは、無線ネットワークに割り当てられた無線リソースを用いて、“ユーザ機器”、“無線端末”又は“移動局”とも呼ばれる無線ユーザ機器（ＵＥ：User  Equipment）と通信する。無線リソースは、（例えば、時間分割多重アクセス（ＴＤＭＡ）システムでは）時間、（例えば、周波数分割多重アクセス（ＦＤＭＡ）システムでは）周波数、及び／又は（例えば、符号分割多重アクセス（ＣＤＭＡ）システムでは）符号の観点で定義され得る。ノードは、ライセンスされた及び／又はライセンスされていない周波数スペクトルを使用し得る。無線リソースは、初期通信の後に無線ネットワークによってＵＥへ割り振られ、例えばＵＥの移動、変化する帯域幅要件、変化するネットワークトラフィックなどに起因して再割振りされ得る。
【０００４】
多くの既存の無線セルラ通信システム及び方法において、パイロットシンボルが無線リソースエレメント上でアンテナ又はアンテナポートごとに送信され、それらは他のアンテナ又はアンテナポートについて送信されるパイロットシンボルとは時間及び周波数において重複しない。例えば、ＬＴＥ（Long  Term  Evolution）無線技術の現行のリリース（Ｒｅｌ−１０）では、異なるアンテナポートについて、多様な時間的瞬間及び周波数で、既知のリファレンスシンボル（ＲＳ）又はパイロットシンボルが送信される。これら既知のＲＳを用いて、受信機は、各送信アンテナから各受信アンテナへの多様な時間及び周波数をまたがるチャネル応答を推定することができる。
【０００５】
その上、多くの既存の無線セルラシステムでは、ＵＥが無線アクセスネットワーク内のセルを見出し及び同期を獲得することを可能とするために、同期信号もまたノードによって送信される。例えば、ＬＴＥの現行のリリース（Ｒｅｌ−１０）では、ＬＴＥダウンリンク上で２つの特別な信号が送信される：プライマリ同期信号（ＰＳＳ）及びセカンダリ同期信号（ＳＳＳ）である。ＰＳＳ及びＳＳＳは同様の構造を有し得るが、フレーム内の同期信号の時間領域での位置は、セルが周波数分割複信（ＦＤＤ）モード又は時間分割複信（ＴＤＤ）モードのいずれで動作しているかに依存して、いくらか相違し得る。ＦＤＤのケースでは、ＰＳＳはサブフレーム０及びサブフレーム５の第１スロットの最後のシンボル内で送信され、一方でＳＳＳは同じスロットの最後から２番目のシンボル内で（即ち、ＰＳＳの直前に）送信される。対照的に、ＴＤＤのケースでは、ＰＳＳはサブフレーム１及びサブフレーム６の３番目のシンボル内で送信され、一方でＳＳＳはサブフレーム０及びサブフレーム５の最後のシンボル内で（即ち、ＰＳＳよりも３シンボル分先行して）送信される。ＵＥがセルのＰＳＳを一度検出し識別すると、ＵＥは、セルのタイミングと、ＰＳＳに対して固定的なオフセットを有するＳＳＳの位置とを、単一のアイデンティティグループの範囲内でのセルアイデンティティと共に見出したことになる。ＳＳＳから、ＵＥは、フレームタイミングとセルアイデンティティグループとを見出し得る。ＰＳＳ及びＳＳＳは、ここでは“同期信号”と総称される。
【０００６】
ＬＴＥは、ノードとユーザ機器との間で信号を送信するために、複数のキャリアの統合（aggregation）を可能とする。そうした形のキャリアの統合が、図１に図形的に示されている。主要なキャリアはプライマリキャリアと呼ばれ、一方で追加的なキャリアはセカンダリキャリアと呼ばれる。ＬＴＥのＲｅｌ−１０では、セカンダリキャリアは、概して、正規のＬＴＥキャリアの特徴を有することを要する。即ち、それは、プライマリキャリアとほぼ同じように、時間及び周波数同期のために同期信号を、チャネル推定のためにリファレンスシンボルを、並びに、データ割当て及び他の制御機能のために制御信号を搬送する。
【０００７】
セルラネットワーク内の複数のサイトをまたがるキャリア周波数の再利用は、干渉の課題を引き起こし得る。加えて、ネットワーク内で同期及びリファレンス信号が複数のノードにより送信されることは、エネルギーの浪費でもあり得る。干渉の課題は、特に、マイクロ又はピコ基地局を用いてキャリア統合が達成される所謂“ヘテロジーニアスネットワーク”において、解決困難となり得る。
【０００８】
このセクションで説明したアプローチは追求され得たものであったが、必ずしも過去に想到され又は追求されたアプローチではない。従って、ここで特段示されない限り、このセクションで説明したアプローチは、本願及び本願からの優先権を主張するいかなる出願内の請求項に対する従来技術でもなく、このセクションに含めることによってそれは従来技術として認められるものではない。
【発明の概要】
【課題を解決するための手段】
【０００９】
ここで説明される多様な実施形態は、無線ネットワークのノードを、プライマリキャリア時間／周波数リソースの第１のセットを含むプライマリキャリアとセカンダリキャリア時間／周波数リソースの第２のセットを含むセカンダリキャリアとを含む統合キャリア上でユーザ機器へ情報を送信することによって動作させる。同期信号及び／又はリファレンスシンボルが、プライマリキャリアよりも低い頻度で、セカンダリキャリア上で、ユーザ機器へ送信される。いくつかの実施形態では、セカンダリキャリア上でユーザ機器へ同期信号及び／又はリファレンスシンボルがいつ及び／又はどのような頻度で送信されることになるかの標識もまた、プライマリキャリア上でユーザ機器へ送信される。同期信号及び／又はリファレンスシンボルを、プライマリキャリアよりも低い頻度で、セカンダリキャリア上で、ユーザ機器へ送信することによって、セカンダリキャリアのリソースが節約され、セカンダリキャリアのエネルギー効率が高められ、及び／又は他のセルとの干渉が低減され、若しくは防止され得る。
【００１０】
同期信号及び／又はリファレンスシンボルを、プライマリキャリアよりも低い頻度で、セカンダリキャリア上で、ユーザ機器へ送信するための多様な実施形態が提供され得る。例えば、いくつかの実施形態では、セカンダリキャリアは、プライマリキャリア時間／周波数リソースの第１のセットに時間及び周波数において同期しているセカンダリキャリア時間／周波数リソースの第２のセットを含む。これらの実施形態では、ノードは、プライマリキャリア時間／周波数リソースの第１のセットに時間及び周波数において同期しているセカンダリキャリア時間／周波数リソースの第２のセットを含むセカンダリキャリア上でユーザ機器へ同期信号及び／又はリファレンス信号を送信することを控える。いくつかの実施形態では、セカンダリキャリア時間／周波数リソースの第２のセットは、プライマリキャリア時間／周波数リソースの第１のセットに時間及び周波数において同期しているが、一定の時間オフセット及び／又は一定の周波数オフセットだけそこからオフセットしており、一定の時間オフセット及び／又は一定の周波数オフセットの標識がプライマリキャリア上でユーザ機器へ送信される。一定の時間オフセット及び／又は一定の周波数オフセットの標識は、一定の時間オフセット及び／又は一定の周波数オフセットの標識を提供するパラメータを含む無線リソース制御（ＲＲＣ）メッセージを用いて、プライマリキャリア上でユーザへ送信され得る。さらに、プライマリキャリア及びセカンダリキャリアが同じサイトに属する（co-sited）ときには、ノードは、セカンダリキャリア上でユーザ機器へ同期信号及びリファレンスシンボルを送信することを控えることができる。
【００１１】
別の実施形態では、セカンダリキャリアは、プライマリキャリア時間／周波数リソースの第１のセットに時間において同期しているが、プライマリキャリア時間／周波数リソースの第１のセットとは異なる周波数帯域にあるセカンダリキャリア時間／周波数リソースの第２のセットを含む。プライマリキャリア及びセカンダリキャリアは同じサイトに属し得る。これらの実施形態では、リファレンスシンボルがプライマリキャリアよりも低い頻度で、セカンダリキャリア上で、ユーザ機器へ送信される。さらに、いくつかの実施形態では、ノードは、セカンダリキャリア上でユーザ機器へ同期信号を送信することを控える。いくつかの実施形態では、セカンダリキャリア上でユーザ機器へリファレンスシンボルがいつ送信されることになるかの標識が、ノードによってプライマリキャリア上でユーザ機器へ送信される。さらに、いくつかの実施形態では、リファレンスシンボルは、プライマリキャリアの周期よりも低い周期で、セカンダリキャリア上で、ユーザ機器へ送信され、周期（即ち、どのような頻度か）の標識がプライマリキャリア上でユーザ機器へ送信される。
【００１２】
さらに別の実施形態では、セカンダリキャリアは、プライマリキャリア時間／周波数リソースの第１のセットに時間において同期しておらずしかもプライマリキャリア時間／周波数リソースの第１のセットとは異なる周波数帯域にあるセカンダリキャリア時間／周波数リソースの第２のセットを含む。プライマリキャリア及びセカンダリキャリアは同じサイトに属しなくてもよい。これらの実施形態では、同期信号及びリファレンスシンボルは、プライマリキャリアよりも低い頻度で、セカンダリキャリア上で、ユーザ機器へ送信される。さらに、セカンダリキャリア上でユーザ機器へ同期信号及び／又はリファレンスシンボルがいつ及び／又はどのような頻度で送信されることになるかの少なくとも１つの標識が、ノードによってプライマリキャリア上でユーザ機器へ送信される。いくつかの実施形態では、同期信号とリファレンスシンボルの両方が、プライマリキャリアの周期よりも低い周期で、セカンダリキャリア上で、ユーザ機器へ送信され、同期信号及び／又はリファレンスシンボルを送信する周期の少なくとも１つの標識が、プライマリキャリア上でノードからユーザ機器へ送信される。いくつかの実施形態では、少なくとも１つの標識は、ＲＲＣメッセージのパラメータとしてプライマリキャリア上で送信される。
【００１３】
以上では、主として無線通信ネットワークのノードを動作させる方法との関連で多様な実施形態を説明した。しかし、別の実施形態はノード自体を提供することができる。ノードは、プライマリキャリア時間／周波数リソースの第１のセットを含むプライマリキャリアとセカンダリキャリア時間／周波数リソースの第２のセットを含むセカンダリキャリアとを含む統合キャリア上でユーザ機器へ情報を送信するように構成された少なくとも１つの送信器を含む。少なくとも１つの送信器は、前述の実施形態のいずれかに従って、同期信号及び／又はリファレンスシンボルを、プライマリキャリアよりも低い頻度で、セカンダリキャリア上でユーザ機器へ送信するようにさらに構成され得る。
【００１４】
さらに、ここで説明される別の実施形態に従った無線通信ネットワークの他のノードも提供され得る。これらの実施形態では、少なくとも１つの送信器は、プライマリキャリア時間／周波数リソースの第１のセットを含むプライマリキャリアとセカンダリキャリア時間／周波数リソースの第２のセットを含むセカンダリキャリアとを含む統合キャリア上でユーザ機器へ情報を送信するように構成される。少なくとも１つの送信器は、プライマリキャリア上でユーザ機器へ同期信号及び／又はリファレンスシンボルを送信するようにさらに構成される。少なくとも１つの送信器は、セカンダリキャリアの同期信号及び／又はリファレンスシンボルに関する情報を、プライマリキャリア上でユーザ機器へ送信するようにさらに構成される。情報は、セカンダリキャリア上でユーザ機器へ同期信号及び／若しくはリファレンスシンボルがいつ送信されることになるかの標識、並びに／又はセカンダリキャリア上でユーザ機器へ同期信号及び／若しくはリファレンスシンボルを送信する周期（即ち、どのような頻度で）の標識を含み得る。ここで説明される多様な実施形態に従ったノードを動作させる類似の方法も提供され得る。
【００１５】
ここで説明される多様な別の実施形態は、無線通信ネットワークのユーザ機器を動作させる方法を提供し得る。これらの方法は、プライマリキャリア時間／周波数リソースの第１のセットを含むプライマリキャリアとセカンダリキャリア時間／周波数リソースの第２のセットを含むセカンダリキャリアとを含む統合キャリア上で情報を受信することを含み得る。プライマリキャリア上では同期信号及び／又はリファレンスシンボルも受信され、プライマリキャリア上で受信された同期信号及び／又はリファレンスシンボルは処理され得る。さらに、同期信号及び／又はリファレンスシンボルは、プライマリキャリアよりも低い頻度で、セカンダリキャリア上で受信される。プライマリキャリアよりも低い頻度で、セカンダリキャリア上で受信された同期信号及び／又はリファレンスシンボルもまた、ユーザ機器によって処理される。
【００１６】
ユーザ機器を動作させるこれらの方法は、セカンダリキャリア上で同期信号及び／又はリファレンスシンボルがどのような頻度で受信されることになるかの標識を、プライマリキャリア上で受信することをさらに含み得る。標識は、セカンダリキャリア上で同期信号及び／若しくはリファレンスシンボルがいつ受信されることになるかの少なくとも１つの標識、並びに／又はセカンダリキャリア上で同期信号及び／若しくはリファレンスシンボルを受信する周期（即ち、どのような頻度で）の少なくとも１つの標識を含み得る。少なくとも１つの標識は、ＲＲＣメッセージのパラメータとしてプライマリキャリア上で受信され得る。さらに、プライマリキャリア時間／周波数リソースの第１のセットを含むプライマリキャリアとセカンダリキャリア時間／周波数リソースの第２のセットを含むセカンダリキャリアとを含む統合キャリア上で情報を受信するように構成された少なくとも１つの送信器を含む類似のユーザ機器も提供され得る。送信器は、前述のように、プライマリキャリア上で同期信号及び／又はリファレンスシンボルを受信し、処理し、プライマリキャリアよりも低い頻度で、セカンダリキャリア上で同期信号及び／又はリファレンスシンボルを受信し、処理するようにもさらに構成され得る。
【図面の簡単な説明】
【００１７】
【図１】ＬＴＥのリリース１０（Ｒｅｌ−１０）における統合キャリアを概念的に示す図である。
【図２】ここで説明される多様な実施形態に従って無線通信ネットワークのノードを動作させるために行われ得る動作の流れ図である。
【図３】ここで説明される多様な実施形態に従って動作するように構成された統合キャリアのプライマリキャリア及びセカンダリキャリアのフレームを示す図である。
【図４】例えば図３に示すように構成されたプライマリキャリア及びセカンダリキャリアを用いてノードによって行われ得る動作の流れ図である。
【図５】ここで説明される多様な別の実施形態に従って動作するように構成された統合キャリアのプライマリキャリア及びセカンダリキャリアのフレームを示す図である。
【図６】例えば図５に示すように構成されたプライマリキャリア及びセカンダリキャリアを用いてノードによって行われ得る動作の流れ図である。
【図７】ここで説明されるさらに別の実施形態に従って動作するように構成された統合キャリアのプライマリキャリア及びセカンダリキャリアのフレームを示す図である。
【図８】例えば図７に示すように構成されたプライマリキャリア及びセカンダリキャリアを用いてノードによって行われ得る動作の流れ図である。
【図９】ここで説明されるさらに別の実施形態に従ってノードによって行われ得る動作の流れ図である。
【図１０】ここで説明されるさらに多様な実施形態に従って無線通信ネットワークのユーザ機器によって行われ得る動作の流れ図である。
【図１１】ここで説明される多様な実施形態による無線ネットワークのブロック図である。
【図１２】ここで説明される多様な実施形態によるユーザ機器のブロック図である。
【図１３】ここで説明される多様な実施形態によるノードのブロック図である。
【発明を実施するための形態】
【００１８】
ここで説明される多様な実施形態は、統合キャリアのプライマリキャリアよりも低い頻度で、統合キャリアのセカンダリキャリア上で、ノードからユーザ機器へ同期信号及び／又はリファレンスシンボルを送信する。さらに、セカンダリキャリア上でユーザ機器へ同期信号及び／又はリファレンスシンボルがいつ及び／又はどのような頻度で送信されることになるかの標識もまた、ノードによってプライマリキャリア上でユーザ機器へ送信され得る。ユーザ機器は、プライマリキャリア上で同期信号及び／又はリファレンスシンボルを受信し、処理し、プライマリキャリアよりも低い頻度で、セカンダリキャリア上でも同期信号及び／又はリファレンスシンボルを受信し、これらの同期信号及び／又はリファレンスシンボルを処理し得る。
【００１９】
ＬＴＥの現行のリリースではセカンダリキャリアは概して正規のＬＴＥキャリアの特徴を有することを要するという認識から、ここで説明される多様な実施形態が生じてもよい。即ち、それは、プライマリキャリアとほぼ同じように、時間及び周波数同期のために同期信号を、チャネル推定のためにリファレンスシンボルを、並びに、データ割当て及び他の制御機能のために制御信号を搬送する。しかし、ＬＴＥの将来のリリースでは、セカンダリキャリアが非後方互換の特徴を有することを可能とすることが提案されている。従って、セカンダリキャリア上で同期信号及び他の信号がどのようにして送信されるかに関する変更が、ことによると、加えられる可能性もある。
【００２０】
さらに、ＬＴＥは複数のやり方で配備することができ、あるタイプの配備においてはネットワーク内の基地局の大部分は所謂マクロ基地局であり同様の送信電力及びアンテナ利得を有するという認識から、ここで説明される多様な実施形態が生じてもよい。一般にヘテロジーニアスネットワークと呼ばれる別のタイプの配備においては、基地局の２つ以上のティアがあってよく、主要なティアはマクロ基地局のセットであり、二次的なティアはマイクロ基地局及び／又はピコ基地局である。マイクロ基地局及びピコ基地局は、通常はより低い送信電力を有し、従ってより狭いセル範囲を有する。ピコ及びマイクロセルの賢明な配置により、全般的なネットワーク容量を増加させることができる。
【００２１】
低負荷条件の下では、即ちデータを受信するＵＥがごく少数しかないときには、ネットワーク内で送信される信号の大部分が同期信号やリファレンスシンボルといった制御信号であるという認識から、ここで説明される多様な実施形態が生じてもよい。低負荷条件の下では、複数のサイトからのこれらの信号間の干渉がシステム容量を制限し得る。ヘテロジーニアスネットワークを配備する際の課題は、多くの場合、ネットワークのマクロ層とマイクロ／ピコ層との間のそうした干渉を中心とするものである。多くのケースにおいて、ピコ基地局から送信される同期信号及びリファレンス信号の受信は、マクロ基地局における同様の信号からの干渉に起因して阻害される。よって、たとえピコ基地局からデータが受信され得るはずであったとしても、同期信号及び他の信号上の干渉は、ピコ基地局からのＵＥにおけるデータの受信を妨害し得る。
【００２２】
広帯域無線ネットワークのエネルギー効率もますます重要になってきている。いくつかのシナリオでは、無線ネットワーク内のエネルギーの約９０％が、どのユーザもデータを受信していないときに消費される。システムにユーザがいないときでさえ行われる基地局からの同期信号及びリファレンス信号の周期的な送信がＬＴＥネットワークにおける電力消費の重要な原因の１つであるという認識から、ここで説明される多様な実施形態が生じてもよい。
【００２３】
エネルギー効率並びに現行のホモジーニアス及びヘテロジーニアスのＬＴＥネットワークとの干渉の課題が与えられた場合、ここで説明される多様な実施形態は、キャリアアグリゲーションの状況においてセカンダリキャリアのための同期信号及びリファレンスシンボルを提供し、一方で、上記の課題及び／又は他の課題のうちの１つ若しくは複数を軽減することができる。上記課題のうちの１つ若しくは複数に対処するために、チャネル推定の目的のためのリファレンスシンボルが、制御メッセージ又はデータメッセージを転送するためにＵＥへ行われるデータ割当てにおいて送信されることができる。
【００２４】
複数のＵＥによって使用されることが意図される同期信号及びリファレンスシンボルのための既存の解決策は、概して、何らかの形の周期的送信を使用する。即ち、これらの信号／シンボルは一定の間隔で出現し、システム内のＵＥは、フレームタイミングを導出すること、並びに時間及び周波数の同期を維持することを含む多様な目的に周期の知識を使用する。ここで説明される多様な実施形態は、そのような解決策の問題が、信号／シンボルの使用を試みているＵＥの有無にかかわらずこれらの信号の周期的送信が行われることであるという認識から生じ得るものである。これは、ホモジーニアスな配備においてであれ、ヘテロジーニアスな配備においてであれ、エネルギーの非効率性、並びに他のセルへの不要な干渉につながり得る。
【００２５】
ここで説明される多様な実施形態は、プライマリキャリアも送信されているキャリアアグリゲーションの配備における、セカンダリキャリア上での同期信号及びリファレンス信号の送信を解決する。いくつかの実施形態では、プライマリキャリアは、同期信号及びリファレンス信号がＬＴＥの仕様で定義される周期で送信されるＬＴＥ準拠のキャリアであるものと想定される。
【００２６】
ここで説明される多様な実施形態は、前述の課題のうちの１つ若しくは複数を、例えば、システム内にアクティブなＵＥがないときの同期信号及び／又はリファレンスシンボルの送信を回避することによって克服することができる。ＵＥがセカンダリキャリアをアクティブに使用しているときには、これらの信号／シンボルの送信がプライマリキャリア上で、明示的にシグナリングされ得る。これは、同期信号及びリファレンスシンボルが、データ送信と全く同様にスケジュールされることを可能とする。これは、ＬＴＥの現行のリリースと対比させることができ、ＬＴＥの現行のリリースでは、通常、そのような信号／シンボルの送信は固定的なやり方で行われる。これらの信号／シンボルの送信のスケジューリング又は抑制（suppressing）におけるこの柔軟性は、低負荷条件時のネットワーク内の干渉を管理することができる能力の向上につながり得るものであり、この能力の向上によりシステム性能を高めることができる。これは、無線ネットワークをよりエネルギー効率の高いものとすることも可能とし得る。
【００２７】
図２は、ここで説明される多様な実施形態に従って無線通信ネットワークのノードを動作させるために行われ得る動作の流れ図である。図２を参照すると、ブロック２１０で、無線通信ネットワークのノードは、プライマリキャリア時間／周波数リソースの第１のセットを含むプライマリキャリアとセカンダリキャリア時間／周波数リソースの第２のセットを含むセカンダリキャリアとを含む統合キャリア上でユーザ機器へ情報を送信することによって動作することができる。ブロック２２０で、同期信号及び／又はリファレンスシンボルが、プライマリキャリアよりも低い頻度で、セカンダリキャリア上で、ユーザ機器へ送信される。さらに、ブロック２３０で、いくつかの実施形態では、セカンダリキャリア上でユーザ機器へ同期信号及び／又はリファレンスシンボルがいつ及び／又はどのような頻度で送信されることになるかの標識も、プライマリキャリア上でユーザ機器へ送信され得る。
【００２８】
図３に、ここで説明される多様な実施形態に従って動作するように構成された統合キャリアのプライマリキャリア及びセカンダリキャリアのフレームを示す。プライマリキャリア及びセカンダリキャリアは同じセルサイトから送信され（即ち、同じサイトに属し）、時間及び周波数において同期し得る。このシナリオでは、ここで説明される多様な実施形態によれば、セカンダリキャリア上では同期信号もリファレンス信号も送信されなくてよい。具体的には、図３に示すように、プライマリキャリアはプライマリ同期信号及び／又はセカンダリ同期信号（ＰＳＳ／ＳＳＳ）を、プライマリキャリアの所与のスロットで送信し得る。リファレンスシンボル（ＲＳ）も図示のように送信され得る。無線リソース制御（ＲＲＣ）メッセージを含む制御メッセージも送信され得る。
【００２９】
ＵＥは、初期の時間及び周波数同期を獲得し、その後、プライマリキャリア上で利用できる場合には同期信号（ＰＳＳ／ＳＳＳ）及び／又は他のリファレンスシンボルを用いて同期を維持する。実際のキャリア周波数及びフレームタイミングは異なり得ることに留意されたい。この同期は、プライマリキャリア上及びセカンダリキャリア上のキャリア周波数間及びフレームタイミング間のオフセットが一定である場合に維持され得る。これら一定のオフセットの知識は、プライマリキャリアとの同期が行われた後でＵＥがセカンダリキャリア上で動作することを可能とする。オフセットパラメータは、ＲＲＣメッセージといったプライマリキャリア上の制御シグナリングを用いてＵＥへシグナリングされ得る。
【００３０】
プライマリキャリア上のＰＳＳ／ＳＳＳ（同期信号）又はリファレンスシンボルを用いて、ＵＥによってモビリティ測定も行われ得る。そのような測定は、現行のサービスセルから異なるセルへのハンドオフが必要であるかどうか判定するのに使用される。各キャリアは同じサイトに属するため、送信電力スペクトル密度は両キャリア上で同じであると仮定して、プライマリキャリア上の測定は、現在プライマリキャリア上又はセカンダリキャリア上にないＵＥがそのセルに移動すべきかどうか決定するのに十分である。
【００３１】
図４は、例えば、図３に示すように構成されたプライマリキャリア及びセカンダリキャリアを用いてノードによって行われ得る動作の流れ図である。図４のブロック４１０〜ブロック４３０は、それぞれ、図２のブロック２１０〜ブロック２３０の動作に対応し得るが、図３のプライマリキャリア及びセカンダリキャリアを用いて行われる。
【００３２】
ブロック４１０を参照すると、プライマリキャリア時間／周波数リソースの第１のセットを含むプライマリキャリアと、プライマリキャリア時間／周波数リソースの第１のセットに時間及び周波数において同期しているセカンダリキャリア時間／周波数リソースの第２のセットを含むセカンダリキャリアと、を含む統合キャリア上でユーザ機器へ情報が送信される。ブロック４２０で、ノードは、プライマリキャリア時間／周波数リソースの第１のセットに時間及び周波数において同期しているセカンダリキャリア時間／周波数リソースの第２のセットを含むセカンダリキャリア上でユーザ機器へ同期信号及び／又はリファレンス信号を送信することを控える。いくつかの実施形態では、ブロック４３０で、セカンダリキャリア時間／周波数リソースの第２のセットは、プライマリキャリア時間／周波数リソースの第１のセットに時間及び周波数において同期しているが、一定の時間オフセット及び／又は一定の周波数オフセットだけそこからオフセットしており、ノードは、一定の時間オフセット及び／又は一定の周波数オフセットの標識を、プライマリキャリア上でユーザ機器へ送信することができる。
【００３３】
いくつかの実施形態では、ブロック４３０の標識は、プライマリキャリア上で、一定の時間オフセット及び／又は一定の周波数オフセットの標識を提供するパラメータを含むＬＴＥ  ＲＲＣメッセージを用いて送信される。最後に、図４のいくつかの実施形態では、プライマリキャリア及びセカンダリキャリアは同じサイトに属し、ノードは、セカンダリキャリア上でユーザ機器へ同期信号とリファレンスシンボルの両方を送信することを控える。
【００３４】
図５に、ここで説明される多様な別の実施形態に従って動作するように構成された統合キャリアのプライマリキャリア及びセカンダリキャリアのフレームを示す。図５の実施形態は、２つのキャリアが異なる帯域にあるという点で、図３の実施形態と異なり得る。そのような状況では、帯域の各々の伝搬特性が異なることが可能である。例えば、プライマリキャリアは１９００ＭＨｚ帯域にあり、一方でセカンダリキャリアは７００ＭＨｚ帯域にあり得る。そのような状況では、プライマリキャリアからモビリティ測定を導出するよりも、セカンダリキャリア自体の上でモビリティ測定が行われることが望ましい場合もある。よって、図５に示すように、ここで説明される多様な実施形態に従って、リファレンスシンボルがセカンダリキャリア上で送信され、例えば、図５の“シグナリング”によって示されるように、プライマリキャリアからシグナリングされる。別の実施形態では、リファレンスシンボルは、構成可能な周期で（例えば、Ｘ個のサブフレームごとに）送信され、例えば、図５の“シグナリング”によって示されるように、プライマリキャリアから（１つ若しくは複数の）ＵＥへシグナリングされる。
【００３５】
ＵＥは図３及び図４の実施形態と同様に時間及び周波数の同期を獲得し得る。モビリティ測定のために、ＵＥはまず、プライマリキャリア上で、モビリティ測定に使用され得るリファレンスシンボルがセカンダリキャリア上で送信される予定であることを指示する制御シグナリングを受信する。ＵＥは次いで、セカンダリキャリア上でリファレンスシンボルを受信し、リファレンスシンボルを使用してモビリティ測定を行う。
【００３６】
セカンダリキャリア内のリファレンスシンボルの位置は、多くのやり方で指示され得る。例えば、いくつかの実施形態では、（サブフレーム数又はＯＦＤＭシンボル数による）プライマリキャリア上のシグナリングの時間とセカンダリキャリア上のリファレンスシンボルの送信との間のオフセットがシグナリングされ得る。別の実施形態では、そこでリファレンスシンボルが送信される予定であるセカンダリキャリア上のサブフレーム番号がシグナリングに明示的に含まれる。他の技術も使用され得る。
【００３７】
図６は、例えば図５に示すように構成されたプライマリキャリア及びセカンダリキャリアを用いてノードによって行われ得る動作の流れ図である。図６のブロック６１０〜ブロック６３０はそれぞれ図２のブロック２１０〜ブロック２３０の動作に対応し得るが、図５のプライマリキャリア及びセカンダリキャリアを用いて行われる。
【００３８】
より具体的には、図６を参照すると、ブロック６１０で、プライマリキャリア時間／周波数リソースの第１のセットを含むプライマリキャリアと、プライマリキャリア時間／周波数リソースの第１のセットに時間において同期しているが、プライマリキャリア時間／周波数リソースの第１のセットとは異なる周波数帯域にあるセカンダリキャリア時間／周波数リソースの第２のセットを含むセカンダリキャリアと、を含む統合キャリア上でユーザ機器へ情報が送信される。ブロック６２０ａに示すように、リファレンスシンボルが、プライマリキャリアよりも低い頻度で、セカンダリキャリア上で、ユーザ機器へ送信される。さらに、ブロック６２０ｂに示すように、同期信号は、セカンダリキャリア上で送信されることを控えられる（即ち、送信されない）。最後に、ブロック６３０に示すように、セカンダリキャリア上でユーザ機器へリファレンスシンボルがいつ及び／又はどのような頻度で送信されることになるかの標識も、プライマリキャリア上でユーザ機器へ送信され得る。いくつかの実施形態では、ブロック６３０で、リファレンスシンボルは、プライマリキャリアの周期よりも低い周期で、セカンダリキャリア上で、ユーザ機器へ送信され、周期の標識が送信される。
【００３９】
図７に、ここで説明されるさらに別の実施形態に従って動作するように構成された統合キャリアのプライマリキャリア及びセカンダリキャリアのフレームを示す。図７の実施形態では、プライマリキャリア及びセカンダリキャリアは、時間及び周波数において同期しなくてよく、又は異なるサイトから送信されてもよい。このケースでは、ここで説明される多様な実施形態によれば、同期信号とリファレンスシンボルの両方がセカンダリキャリア上で送信され、それらが送信されるときにプライマリキャリアから明示的にシグナリングされる。別の実施形態では、同期信号及びリファレンスシンボルは、セカンダリキャリア上で周期的に送信され、周期は構成可能であり、プライマリキャリアによってシグナリングされる。同期信号及びリファレンスシンボルの周期は異なり得る。
【００４０】
図７に示すように、ＵＥは、まずプライマリキャリアに同期し、プライマリキャリア上で、セカンダリキャリア上の同期信号及びリファレンスシンボルの位置を指示するシグナリングを受信することによって、時間及び周波数の同期を獲得する。ＵＥは次いで、セカンダリキャリア上のＰＳＳ／ＳＳＳシーケンスを使用して初期同期を行い、又は同期を維持する。ＵＥは、モビリティ測定に必要とされるときには、セカンダリキャリア上のリファレンスシンボルも使用する。セカンダリキャリアのリファレンスシンボル及び／又は同期信号の位置のシグナリングは、例えば、図５との関連で説明したように行われ得る。
【００４１】
図８は、例えば図７に示すように構成されたプライマリキャリア及びセカンダリキャリアを用いてノードによって行われ得る動作の流れ図である。図８のブロック８１０〜ブロック８３０はそれぞれ図２のブロック２１０〜ブロック２３０の動作に対応し得るが、図７のプライマリキャリア及びセカンダリキャリアを用いて行われる。
【００４２】
図８を参照すると、ブロック８１０で、プライマリキャリア時間／周波数リソースの第１のセットを含むプライマリキャリアと、プライマリキャリア時間／周波数リソースの第１のセットに時間において同期しておらず、しかもプライマリキャリア時間／周波数リソースの第１のセットとは異なる周波数帯域にあるセカンダリキャリア時間／周波数リソースの第２のセットを含むセカンダリキャリアと、を含む統合キャリア上でユーザ機器へ情報が送信される。ブロック８２０で、同期信号及びリファレンスシンボルが、プライマリキャリアよりも低い頻度で、セカンダリキャリア上で、ユーザ機器へ送信される。いくつかの実施形態では、ブロック８３０で、セカンダリキャリア上でユーザ機器へ同期信号及び／又はリファレンスシンボルがいつ及び／又はどのような頻度で送信されることになるかの標識が、プライマリキャリア上でユーザ機器へ送信される。さらに、いくつかの実施形態では、同期信号及びリファレンスシンボルは、プライマリキャリアの周期よりも低い周期で、セカンダリキャリア上で、ユーザ機器へ送信され、ブロック８３０の動作は、送信がどのような頻度で行われることになるか指示するために、同期信号及び／又はリファレンスシンボルを送信する周期の少なくとも１つの標識をプライマリキャリア上でユーザ機器へ送信する。
【００４３】
図９は、ここで説明されるさらに別の実施形態に従って無線通信ネットワークのノードによって行われ得る動作の流れ図である。これらの実施形態では、セカンダリキャリアの同期信号／リファレンスシンボルのシグナリングが、任意の目的で、図５及び図７に示したようにプライマリキャリアから送信され得る。
【００４４】
図９を参照すると、ブロック２１０で、プライマリキャリア時間／周波数リソースの第１のセットを含むプライマリキャリアとセカンダリキャリア時間／周波数リソースの第２のセットを含むセカンダリキャリアとを含む統合キャリア上でユーザ機器へ情報が送信される。ブロック９２０で、同期信号及び／又はリファレンスシンボルが、プライマリキャリア上でユーザ機器へ送信される。さらに、ブロック９３０で、セカンダリキャリアの同期信号及び／又はリファレンスシンボルに関する情報が、プライマリキャリア上でユーザ機器へ送信される。いくつかの実施形態では、セカンダリキャリアの同期信号及び／又はリファレンスシンボルに関する情報は、セカンダリキャリア上でユーザ機器へ同期信号及び／若しくはリファレンスシンボルがいつ送信されることになるかの標識、並びに／又はセカンダリキャリア上でユーザ機器へ同期信号及び／若しくはリファレンスシンボルを送信する周期（即ち、どのような頻度で）の標識を含む。最後に、いくつかの実施形態では、同期信号及び／又はリファレンスシンボルは、ブロック９３０で送信された情報に基づいてセカンダリキャリア上で送信される。セカンダリキャリア上の送信は、図９の動作を行う同じ送信器によって、及び／又は異なる送信器によって行われ得る。
【００４５】
図１０は、ここで説明されるさらに多様な実施形態に従ってユーザ機器によって行われ得る動作の流れ図である。具体的には、ブロック１０１０を参照すると、ユーザ機器は、プライマリキャリア時間／周波数リソースの第１のセットを含むプライマリキャリアとセカンダリキャリア時間／周波数リソースの第２のセットを含むセカンダリキャリアとを含む統合キャリア上で情報を受信する。ブロック１０２０で、ユーザ機器は、プライマリキャリア上で同期信号及び／又はリファレンスシンボルを受信し、処理する。ブロック１０３０で、ユーザ機器は、プライマリキャリアよりも低い頻度で、セカンダリキャリア上で同期信号及び／又はリファレンスシンボルを受信し、処理し、プライマリキャリアよりも低い頻度で、セカンダリキャリア上で受信された同期信号及び／又はリファレンスシンボルを処理する。ある実施形態では、ブロック１０４０で、ユーザ機器は、セカンダリキャリア上で同期信号及び／又はリファレンスシンボルがいつ及び／又はどのような頻度で受信されることになるかの標識も、プライマリキャリア上で受信する。いくつかの実施形態では、標識は、セカンダリキャリア上で同期信号及び／若しくはリファレンスシンボルがいつ受信されることになるか、並びに／又はセカンダリキャリア上で同期信号及び／若しくはリファレンスシンボルを受信する周期の少なくとも１つの標識を含む。
【００４６】
図５及び図７には、例えば、ここでブロック２３０、４３０、６３０、８３０、９３０及び１０４０で説明したように、ここで説明される多様な実施形態に従って提供され得るシグナリングを示した。次に、このシグナリングの多様な実施形態を説明する。例えば、ここで説明されるシグナリングは、ＲＲＣメッセージの１つ若しくは複数のパラメータ、Ｌ１制御チャネルによってシグナリングされる１つ若しくは複数のパラメータを用いて、暗黙的なシグナリングを用いて、及び／又は、例えば、ＬＴＥによって提供され得る他のシグナリング機構を用いて行われてよい。
【００４７】
ＲＲＣメッセージは、ブロードキャストＲＲＣメッセージによって、及び／又は専用ＲＲＣメッセージによって当該プライマリセル内の各特定のＵＥへ、提供されることができる。ＲＲＣパラメータがブロードキャストメッセージによって送信されるときに、ＲＲＣパラメータは、制御情報を送るために送信されるシステム情報ブロック（ＳＩＢ：System  Information  Block）のうちの１つによって信号で伝えることができ、又はＳＩＢ内の情報を受信する前にＵＥによって受信される物理ブロードキャストチャネル（ＰＢＣＨ：Physical  Broadcast  CHannel）上で送信されるメッセージに含めることができる。また、専用メッセージによって送信されるＲＲＣパラメータは、その情報を利用し、同じセルに接続される全てのＵＥに共通とされてもよい。
【００４８】
別の実施形態では、１つ若しくは複数のパラメータがL１制御チャネルによってシグナリングされ得る。さらに別の実施形態では、暗黙的シグナリングが使用され得る。暗黙的シグナリングは、例えば、以下の適用可能なパラメータのうちの１つ若しくは複数に基づいて導出されることができる：物理セルインジケータ（ＰＣＩ：Physical  Cell  Indicator）、送信点を定義するパラメータ、ＯＦＤＭシンボル番号、スロット番号、サブフレーム番号、無線フレーム番号などである。多様な他のシグナリング技術が提供されてよく、ここで説明される多様な実施形態は上記の技術だけに限定されるものと解釈されるべきではない。
【００４９】
ここで説明される多様な実施形態はエネルギー効率を高めることができる。ここで説明される多様な実施形態に従って同期信号及び／又はリファレンスシンボルの送信を抑制することによって、エネルギー効率を高めることができる。同期信号及び／又はリファレンスシンボルが送信されることになる場合、その送信がシグナリングされ、及び／又は信号／シンボルの周期がシグナリングされ得る。そのような構成可能性（configurability）は、システムが低負荷又は無負荷時のこれらの信号／シンボルの送信を低減させ、又は最小化することを可能とし、よって、電力消費を低減させ、エネルギー効率を高める。
【００５０】
さらに、干渉管理によってシステム性能が改善され得る。具体的には、ここで説明される多様な実施形態は、同期信号及び／又はリファレンスシンボルがセカンダリキャリア上で送信されず、又は事実上他のデータ送信と全く同じようにスケジュールされることを可能とし得る。これらの信号／シンボルの送信のスケジューリング又は抑制におけるこの柔軟性は、低負荷条件時のネットワークにおける干渉を管理することができる能力の向上をもたらすことができ、よって、システム性能を高める。
【００５１】
次に、ここで説明される多様な実施形態のさらなる考察を提供する。ここで説明される多様な実施形態は、任意の適切な構成要素を用いた任意の適切な通信規格をサポートする任意の適切なタイプの電気通信システムにおいて実施され得るが、説明する解決策の個々の実施形態は、図１１に示すようなＬＴＥネットワークにおいて実施されてもよい。
【００５２】
図１１に示すように、例示的なネットワーク１１００は、１つ若しくは複数のＵＥ１１１０のインスタンスと、これらのＵＥと通信することのできる１つ若しくは複数のノード１１２０とを、ＵＥ間の、又はＵＥと（地上回線電話といった）別の通信機器との間の通信をサポートするのに適した任意の追加的なネットワーク要素１１３０と共に含み得る。図示のＵＥ１１１０はハードウェア及び／又はソフトウェアの任意の適切な組み合わせを含む通信機器を表し得るが、これらのＵＥは、個々の実施形態では、図１２によってさらに詳細に示す例示的なＵＥといった機器を表し得る。同様に、図示のノード１１２０はハードウェア及び／又はソフトウェアの任意の適切な組み合わせを含むネットワークノードを表し得るが、これらのノードは、個々の実施形態では、図１３によってさらに詳細に示す例示的なノードといった機器を表し得る。
【００５３】
図１２に示すように、例示的なＵＥ１１１０は、ＵＥプロセッサ１２１０と、メモリ１２２０と、送受信器１２３０と、アンテナ１２４０と、ハウジング１２５０とを含む。個々の実施形態では、ＵＥによって提供されるものとして先に説明した機能のうちの一部又は全部が、図１２に示すメモリ１２２０といったコンピュータ可読媒体上に記憶された命令を実行するＵＥプロセッサ１２１０によって提供され得る。ＵＥの代替の実施形態は、前述の機能のいずれか及び／又は前述の解決策をサポートするのに必要な任意の機能を含む、ＵＥの機能のある特定の側面を提供する役割を果たし得る、図１２に示す構成要素以外の追加的な構成要素を含み得る。
【００５４】
図１３に示すように、例示的なノード１１２０は、プロセッサ１３１０と、メモリ１３２０と、送受信器１３４０と、アンテナ１３５０と、ハウジング１３６０とを含む。個々の実施形態では、ホーム基地局、ＨｅＮＢ、ＨＮＢ、ピコ／フェムト基地局、基地局コントローラ、ノードＢ、ｅＮＢ、及び／又は任意の他のタイプのモバイル通信ノードによって提供されるものとして先に説明した機能のうちの一部又は全部が、図１３に示すメモリ１３２０といったコンピュータ可読媒体上に記憶された命令を実行するノード１１２０によって提供され得る。従って、ここで説明される多様な実施形態によるノードは、図１２の無線ユーザ機器といった無線ユーザ機器と無線で通信するように構成された無線送受信器１３４０と、ネットワーク１１３０の要素への通信パスを確立するように構成されたネットワークインタフェース１３３０と、プロセッサ１３１０とを含むことができる。ノード１１２０の代替の実施形態は、前述の機能のいずれか及び／又は前述の解決策をサポートするのに必要な任意の機能を含む、追加的な機能を提供する役割を果たす追加的な構成要素を含み得る。
【００５５】
ここでは、本発明の実施形態が示されている添付の図面を参照して多様な実施形態を説明した。しかし本発明は、多くの異なる形態で実施されてよく、ここで示される実施形態だけに限定されるものと解釈すべきではない。そうではなく、これらの実施形態は、本開示が十分で完全なものとなり、本発明の範囲を当業者に十分に伝えることになるように提供されるものである。
【００５６】
ある要素が別の要素に対して“接続されている（connected）”、“結合されている（coupled）”、“応じて（responsive）”、又はこれらの派生であるというときには、その要素は、他方の要素に対して直接接続され、結合され、若しくは応じることができ、又は介在する要素が存在してもよいことが理解されるであろう。対照的に、ある要素が別の要素に対して“直接接続されている（directly  connected）”、“直接結合されている（directly  coupled）”、“直接応じて（directly  responsive）”、又はこれらの派生であるというときには、介在する要素は存在しない。さらに、“結合される”、“接続される”、“応じて”、又はこれらの派生は、ここで使用される場合、無線で結合され、接続され、又は応じることを含み得る。類似の番号は全体を通して類似の要素を指す。ここで使用される用語は、個々の実施形態を説明するためのものにすぎず、本発明を限定することが意図されるものではない。ここで使用される場合、単数形の“a”、“an”、及び“the”は、文脈上明確にそうでないことが示されない限り、複数形も含むことが意図されている。周知の機能又は構造は、簡潔さ及び／又は明確さのために詳細に説明されない場合もある。
【００５７】
ここでは多様な要素を説明するのに第１、第２などの用語が使用され得るが、これらの要素はこれらの用語によって限定されるべきではないことが理解されるであろう。これらの用語はある要素を別の要素と区別するために使用されるにすぎない。例えば、本発明の範囲を逸脱することなく、第１の要素を第２の要素を呼ぶこともできるはずであり、同様に、第２の要素を第１の要素と呼ぶこともできるはずである。さらに、ここで使用される場合、“及び／又は”という用語は、関連付けられた記載項目のうちの１つ若しくは複数のありとあらゆる組み合わせを含む。
【００５８】
特段定義されない限り、ここで使用される（技術科学用語を含む）全ての用語は、本発明が属する分野の当業者によって一般に理解されるのと同じ意味を有する。一般に使用される辞書で定義された用語といった用語は、本明細書及び関連技術の文脈におけるそれらの用語の意味と整合性を有する意味を有するものと解釈すべきであり、ここで特にそのように定義される理想化された、又は過度に形式的な意味で解釈されるものではない。
【００５９】
ここで説明される多様な実施形態は、以下の無線アクセス技術のうちのいずれでも動作することができる：ＡＭＰＳ（Advanced  Mobile  Phone  Service）、ＡＮＳＩ−１３６、ＧＳＭ（Global  Standard  for  Mobile）通信、ＧＰＲＳ（General  Packet  Radio  Service）、ＥＤＧＥ（enhanced  data  rates  for  GSM  evolution）、ＤＣＳ、ＰＤＣ、ＰＣＳ、符号分割多重アクセス（ＣＤＭＡ）、広帯域ＣＤＭＡ、ＣＤＭＡ２０００、ＵＭＴＳ（Universal  Mobile  Telecommunications  System）、３ＧＰＰ  ＬＴＥ（3rd  Generation  Partnership  Project  Long  Term  Evolution）及び／又は３ＧＰＰ  ＬＴＥ−Ａ（LTE  Advanced）。例えば、ＧＳＭの運用は、約８２４ＭＨｚから約８４９ＭＨｚまで及び約８６９ＭＨｚから約８９４ＭＨｚまでの周波数範囲での受信／送信を含むことができる。ＥＧＳＭの運用は、約８８０ＭＨｚから約９１４ＭＨｚまで及び約９２５ＭＨｚから約９６０ＭＨｚまでの周波数範囲での受信／送信を含むことができる。ＤＣＳの運用は、約１４１０ＭＨｚから約１７８５ＭＨｚまで及び約１８０５ＭＨｚから約１８８０ＭＨｚまでの周波数範囲での受信／送信を含むことができる。ＰＤＣの運用は、約８９３ＭＨｚから約９５３ＭＨｚまで及び約８１０ＭＨｚから約８８５ＭＨｚまでの周波数範囲での送信を含むことができる。ＰＣＳの運用は、約１８５０ＭＨｚから約１９１０ＭＨｚまで及び約１９３０ＭＨｚから約１９９０ＭＨｚまでの周波数範囲での受信／送信を含むことができる。３ＧＰＰ  ＬＴＥの運用は、約１９２０ＭＨｚから約１９８０ＭＨｚまで及び約２１１０ＭＨｚから約２１７０ＭＨｚまでの周波数範囲での受信／送信を含むことができる。他の無線アクセス技術及び／又は周波数帯域もここで説明される多様な実施形態で使用することができる。これら全てのシステムは、国際電気通信連合−無線通信標準化部門（ＩＴＵ−Ｒ：Telecommunications  Union−Radio  Communication  Bureau）によって定義されている国際移動電気通信（ＩＭＴ：International  Mobile  Telecommunications）帯域として通常知られている多様な帯域で動作するように設計されており、概して、現行の最新技術内の２００ＭＨｚから５ＧＨｚの間の周波数範囲に位置し得る。しかし、ここで説明される多様な実施形態は、任意の無線システムに等しく適用可能であり、いかなる点においてもＩＭＴ帯域だけにいかなる点においても制限されるものではないことに留意すべきである。
【００６０】
ここでは、例示及び説明の目的に限って、本発明の多様な実施形態を、セルラ通信（セルラ音声及び／又はデータ通信など）を実行するように構成されたユーザ機器の文脈で説明した。しかし、本発明はそのような実施形態だけに限定されず、１つ若しくは複数の無線アクセス技術に従って送受信するように構成された任意の無線通信端末において広く実施され得ることが理解されるであろう。
【００６１】
ここで使用される場合、“ユーザ機器”という用語は、ディスプレイ（テキスト／図表）あり又はなしの（１つ若しくは複数の）セルラ及び／若しくは衛星無線電話；データ処理を備える無線電話、ファクシミリ及び／若しくはデータ通信機能を組み合わせ得る（１つ若しくは複数の）パーソナル通信システム（ＰＣＳ：Personal  Communications  System）端末；無線周波数送受信器及びページャ、インターネット／イントラネットアクセス、ウェブブラウザ、オーガナイザ、カレンダ及び／若しくは全地球測位システム（ＧＰＳ：global  positioning  system）受信機を含むことのできる（１つ若しくは複数の）携帯情報端末（ＰＤＡ：Personal  Digital  Assistant）又は（１つ若しくは複数の）スマートフォン；並びに／又は（１つ若しくは複数の）従来のラップトップ（ノートブック）及び／若しくはパームトップ（ネットブック）コンピュータ若しくは無線周波数送受信器を含む（１つ若しくは複数の）他の電子機器を含む。ここで使用される場合、“ユーザ機器”という用語は、時間で変化する、若しくは固定された地理座標を有し得る、並びに／又は携帯式とし、可搬式とし、（航空、海上、若しくは陸上ベースの）乗り物に搭載され、及び／若しくは１つ若しくはそれ以上の地球上及び／若しくは地球外の場所にわたって局所的に、及び／若しくは分散方式で動作するように位置し、及び／若しくは構成され得る任意の他の放射ユーザ機器も含む。最後に、“ノード”という用語は、１つ若しくは複数のユーザ機器及びコアネットワークと通信するように構成された、任意の固定式、携帯式、及び／又は可搬式機器を含み、例えば、（マイクロセル、ピコセル、無線アクセスポイント及び／又はアドホック通信アクセスポイントを含む）地上セルラ基地局及び衛星を含み、これらは地上に位置していてもよく、及び／又は任意の高度の上空の軌道を有する。
【００６２】
ここで使用される場合、“comprise”、“comprising”、“comprises”、“include”、“including”、“includes”、“have”、“has”、“having”、又はこれらの変形の各用語は、開放型であり、１つ若しくは複数の記述される特徴、整数、要素、ステップ、構成要素又は機能を含むが、１つ若しくは複数の他の特徴、整数、要素、ステップ、構成要素、機能又はそれらのグループの存在又は追加を除外するものではない。さらに、ここで使用される場合、一般的な略語の“e．g．”は、ラテン語の語句exempli  gratiaに由来し、前に言及された項目の１つ若しくは複数の一般例を導入し、又は指定するのに使用され得るものであり、そのような項目を限定するためのものではない。ここで使用される場合、一般的な略語の“i．e．”は、ラテン語の語句id  estに由来し、より一般的な記述からの具体的な項目を指定するのに使用され得る。
【００６３】
ここでは、コンピュータ実装方法、装置（システム及び／若しくは機器）並びに／又はコンピュータプログラム製品のブロック図及び／又は流れ図を参照して例示的な実施形態を説明した。ブロック図及び／又は流れ図のブロック、並びにブロック図及び／又は流れ図内のブロックの組み合わせは、１つ若しくは複数のコンピュータ回路によって実行されるコンピュータプログラム命令によって実装され得ることが理解できる。これらのコンピュータプログラム命令は、汎用コンピュータ回路、ディジタルプロセッサといった専用コンピュータ回路、及び／又は他のプログラマブルデータ処理回路に提供されてマシンを生成し、そうして、命令は、コンピュータ及び／又は他のプログラマブルデータ処理装置のプロセッサによって実行され、トランジスタ、メモリ位置に記憶された値、及びそのような回路内の他のハードウェア構成要素を変形し、制御して、ブロック図及び／又は流れ図の１つ若しくは複数のブロックに指定された機能／動作を実装し、それによって、ブロック図及び／又は流れ図の（１つ若しくは複数の）ブロックに指定された機能／動作を実装するための手段（機能）及び／又は構造を作り出し得る。これらのコンピュータプログラム命令は、コンピュータ又は他のプログラマブルデータ処理装置に特定のやり方で機能するよう指図することのできるコンピュータ可読媒体に記憶され、そうして、コンピュータ可読媒体に記憶された命令は、ブロック図及び／又は流れ図の１つ若しくは複数のブロックに指定された機能／動作を実装する命令を含む製造品を生成し得る。
【００６４】
有形の非一時的なコンピュータ可読媒体は、電子的、磁気的、光学的、電磁的、又は半導体のデータ記憶システム、装置、又は機器を含み得る。コンピュータ可読媒体のより具体的な例には以下が含まれるはずである。携帯用コンピュータディスケット、ランダムアクセスメモリ（ＲＡＭ）回路、読取り専用メモリ（ＲＯＭ）回路、電気的書込み可能読取り専用メモリ（ＥＰＲＯＭ又はフラッシュメモリ）回路、携帯用コンパクトディスク読取り専用メモリ（ＣＤ‐ＲＯＭ）、及び携帯用ディジタル多用途ディスク読取り専用メモリ（ＤＶＤ／ＢｌｕｅＲａｙ）。
【００６５】
コンピュータプログラム命令はまた、コンピュータ及び／又は他のプログラマブルデータ処理装置にロードされて、コンピュータ実装プロセスを生成するためにコンピュータ及び／又は他のプログラマブルデータ処理装置上で一連の動作ステップを行わせ、そうして、コンピュータ又は他のプログラマブルデータ処理装置上で実行される命令は、ブロック図及び／又は流れ図の１つ若しくは複数のブロックに指定された機能／動作を実装するためのステップを提供し得る。
【００６６】
従って、本発明の実施形態は、ハードウェアにおいて、及び／又はディジタル信号プロセッサといったプロセッサ上で走る（ファームウェア、常駐ソフトウェア、マイクロコードなどを含む）ソフトウェアにおいて実装されてよく、これらは“回路”、“モジュール”、又はこれらの変形と総称され得る。
【００６７】
いくつかの代替の実施態様では、各ブロックに記載される機能／動作は、流れ図に記載される順序から外れて行われ得ることにも留意すべきである。例えば、関与する機能／動作によっては、連続して図示されている２つのブロックは、実際には実質的に同時に実行され、又はこれらのブロックは場合によっては逆の順序で実行され得る。さらに、流れ図及び／若しくはブロック図の所与のブロックの機能が複数のブロックへと分離されてもよく、並びに／又は流れ図及び／若しくはブロック図の２つ以上のブロックの機能の少なくとも一部が統合されてもよい。最後に、図示されたブロックの間に他のブロックが追加され／挿入されてもよい。さらに、図のうちのいくつかは、通信の主要な方向を示すために通信パス上に矢印を含むが、通信は図示の矢印と反対方向に行われ得ることを理解すべきである。
【００６８】
ここでは多くの異なる実施形態を、後続の説明及び図面との関連で開示した。これらの実施形態のあらゆる組み合わせ及び部分的組み合わせを字句通りそのまま説明し、図示すると、過度にくどく、分かりにくいものになることが理解されるであろう。従って、本明細書は、図面を含めて、ここで説明される実施形態の全ての組み合わせ及び部分的組み合わせと、それらを作成し、使用するやり方及びプロセスの完全な書面による説明を構成すると解釈されるものであり、任意のそのような組み合わせ又は部分的組み合わせについての請求項をサポートするものである。
【００６９】
図面及び明細書においては、本発明の実施形態が開示されており、特定の用語が用いられているが、それらの用語は、限定のためではなく、一般的、記述的な意味においてのみ使用されており、本発明の範囲は添付の特許請求の範囲に記載されている。
【図１】
2014531145.tif 000003
【図２】
2014531145.tif 000004
【図３】
2014531145.tif 000005
【図４】
2014531145.tif 000006
【図５】
2014531145.tif 000007
【図６】
2014531145.tif 000008
【図７】
2014531145.tif 000009
【図８】
2014531145.tif 000010
【図９】
2014531145.tif 000011
【図１０】
2014531145.tif 000012
【図１１】
2014531145.tif 000013
【図１２】
2014531145.tif 000014
【図１３】
2014531145.tif 000015
【国際調査報告】
2014531145.tif 000016
2014531145.tif 000017
2014531145.tif 000018
2014531145.tif 000019